(57)【要約】      （修正有）【課題】成形する際の面内の圧力バランスを整えて均一な厚みの光学シートを提供する。【解決手段】凹凸形状成形用金型４８は、透光性の基材の一方の面に凹凸形状を成形するための金型である。金型シリンダー４９の外表面にプリズムレンズを形成するための一方向に延びるプリズムレンズ用凹部５０のパターンを並列に形成する。プリズムレンズ用凹部５０に重ねて略半球状の凸レンズを形成するための圧力調整凹部５１を所定間隔で形成する。圧力調整凹部５１はプリズムレンズ用凹部５０より深さが深く幅が大きい。凹凸形状成形用金型４８は、押し出し成形の際に、圧力調整凹部５１に押圧される光学シート材料によって成形時の圧力ムラを吸収することで圧力バランスを調整し、光学シート材料の厚さ及び屈折率が均一な光学シートを製作し、光学シートのムラ、タワミが視認されない。【選択図】図３
2010208156.tif 000002
【特許請求の範囲】
【請求項１】
透光性の基材の一方の面に凹凸形状を成形するための凹凸形状成形用金型であって、該凹凸形状成形用金型の表面には圧力調整凹部が形成されてなり、該圧力調整凹部の幅より小さく且つ前記圧力調整凹部の深さよりも深さの浅い凹凸パターン部が一次元方向または二次元方向に形成されてなることを特徴とする凹凸形状成形用金型。
【請求項２】
前記圧力調整凹部は、略半球形状であることを特徴とする請求項１に記載された凹凸形状成形用金型。
【請求項３】
前記凹凸形状成形用金型の表面積に対して前記圧力調整凹部の面積の占める割合が３％以上３５％以下の範囲で設定されてなることを特徴とする請求項１または２に記載された凹凸形状成形用金型。
【請求項４】
請求項１〜３の何れか１項に記載された前記凹凸形状成形用金型を用いて製作された光学シート。
【請求項５】
光源と、該光源から発せられた光を入射して拡散させることで光量ムラを低減させて拡散光を射出する拡散板と、請求項４に記載された前記光学シートとを少なくとも備えることを特徴とするバックライト・ユニット。
【請求項６】
画素単位での透過／遮光に応じて表示画像を規定する画像表示素子と、前記画像表示素子の背面に設けられた請求項５に記載された前記バックライト・ユニットとを備えることを特徴とするディスプレイ装置。
【発明の詳細な説明】
【技術分野】
【０００１】
本発明は、照明光路の制御、特にフラットパネルディスプレイに代表される画像表示装置における照明光路制御に用いられる凹凸形状に成形した光学シートを製作するための凹凸形状成形用金型、この金型で製作された光学シート、バックライト・ユニット及びディスプレイ装置に関するものである。
【背景技術】
【０００２】
近年、ＴＦＴ（Thin Film Transistor）型液晶パネルやＳＴＮ(Super Twisted Nematic)型液晶パネルを使用した液晶ディスプレイ装置は、主としてＯＡ分野のカラーノートＰＣ（パーソナルコンピュータ）を中心に商品化されている。このような液晶ディスプレイ装置においては、液晶パネルの背面側（観察者と反対の側）に光源を配置し、この光源からの光で液晶パネルを照明する方式、いわゆるバックライト方式が採用されている。
この種のバックライト方式に採用されているバックライト・ユニットとしては、大別して冷陰極管（ＣＣＦＴ：Cold Cathode Fluorescent Tube）等の光源ランプを、光透過性に優れたアクリル樹脂等からなる平板状の導光板内で多重反射させる「導光板ライトガイド方式」（いわゆる、エッジライト方式）と、導光板を用いずに冷陰極管（ＣＣＦＴ）等の光源ランプからの光で直接照明する「直下型方式」の２種類の方式とがある。
【０００３】
導光板ライトガイド方式のバックライト・ユニットが搭載された液晶ディスプレイ装置として、例えば図８に示すものが一般に知られている。この種の液晶ディスプレイ装置１は、表裏両面を偏光板２、３で挟む液晶素子４からなる液晶パネル５が上部に位置して配設され、液晶パネル５の下面側には略長方形の板状を呈するＰＭＭＡ（ポリメチルメタクリレート）やアクリル等の透明な基材からなる導光板６が配置されている。この導光板６と液晶パネル５との間（光射出側）に拡散フィルム（拡散層）７が設けられている。
さらに、導光板７の背面に導光板６に導入された光を効率よく液晶パネル５に向けて均一となるように散乱して反射させるための散乱反射パターン部（図示せず）が印刷などによって設けられると共に、散乱反射パターン部の下方に反射フィルム（反射層）８が設けられている。
【０００４】
また、導光板７の側端部には光源ランプ９が設けられており、光源ランプ９の光を効率よく導光板６中に入射させるべく、光源ランプ９の背面側を覆うようにして高反射率のランプリフレクター１０が設けられている。上記散乱反射パターン部は、白色である二酸化チタン（ＴｉＯ２ ）粉末を透明な接着剤等の溶液に混合した混合物を、所定パターン、例えばドットパターンにて印刷し乾燥、形成したものであり、導光板６内に入射した光に指向性を付与し、液晶パネル５に向かう光射出面側へと導くようになっている。これは高輝度化を図るための工夫である。
【０００５】
一方、直下型方式のバックライトは、導光板の利用が困難な大型の液晶ＴＶなどのディスプレイ装置に用いられている。直下型バックライト方式のディスプレイ装置としては、図９に示す液晶ディスプレイ装置１２が一般的に知られている。
この液晶ディスプレイ装置１２は、表裏両面を偏光板２、３で挟んだ液晶素子４からなる液晶パネル５が上部に位置して配設され、液晶パネル５の背面側に蛍光管等からなる光源１３が配置される。さらに、光源１３の光出射側に拡散フィルム１４のような光学シートが設けられている。また、光源１３の背面には、光源１３から液晶パネル５と反対側の方向に向かう光を液晶パネル５側へ反射させるリフレター１５が配置されている。よって光源１３から射出される光は拡散フィルム１４で拡散され、この拡散光を高効率で液晶パネル５の有効表示エリアに集光させる。
【０００６】
しかし、これらの液晶ディスプレイ装置１、１２では、視野角の制御が拡散フィルム７、１４の拡散特性にのみ委ねられており、その制御が難しいという問題があった。例えば、正面方向から見た場合は液晶ディスプレイ装置１、１２の表示画面は明るいが、横方向から見た場合には表示画面が暗くなる場合があった。また、液晶ディスプレイ装置１、１２の中心部は明るく、周辺部が暗くなるという問題もあった。このように光の利用効率が悪いという問題があった。
【０００７】
そこで、上述の問題を解決する一つの方法として、図１０に示すように、米国３Ｍ社の輝度強調フィルム（Brightness Enhancement Film：ＢＥＦ；登録商標）１８（以下、ＢＥＦという）をバックライト用照明光源１９の光出射側に配置させ、さらにＢＥＦ１８の上方である光出射面側に図示しない光拡散フィルムを配置する構成が採用されている。
ＢＥＦ１８は、図１０及び図１１に示すように、透明基材２０の上面である光出射面に、断面が三角形状の単位プリズム２１が一方向に一定のピッチで配列されたフィルムである。この単位プリズム２１は光の波長に比較して大きいサイズ（ピッチ）である。ＢＥＦ１８は“軸外（off-axis）”からの光を集光し、この光を視聴者に向けて“軸上（on-axis）”に方向転換（redirect）または“リサイクル（recycle）”する。
【０００８】
ＢＥＦ１８は、ディスプレイ装置の使用時（観察時）に、軸外輝度を低下させることによって軸上輝度を増大させ、ディスプレイ装置の表示品位を向上させる。ここで言う「軸上」とは、視聴者の視覚方向に一致する方向であり、一般的には液晶パネル５によるディスプレイ画面に対する法線方向である。また、ＢＥＦ１８は、通常、単位プリズム２１の反復的アレイ構造が１方向のみの配列からなり、その配列方向での方向転換またはリサイクルのみが可能となる。そのため、水平方向及び垂直方向の両方向での表示光の輝度制御を行なうためには、単位プリズム２１群の配列方向が互いに略直交するように、２枚のＢＥＦシート１８を重ねて組み合わせて用いる必要がある。
【０００９】
そこで、最近では、光利用効率をアップして高輝度化を図るために、図１２に示すように、拡散フィルム７と液晶パネル５との間に、光集光機能を備えたプリズムフィルム（プリズム層）２３、２４を設けることが提案されている。このプリズムフィルム２３、２４は単位プリズム２１群が互いに直交する方向に配列された２枚のＢＥＦ１８からなり、導光板６の光射出面から射出され、拡散フィルム７で拡散された光を高効率で液晶パネル５の有効表示エリアに集光させるものである。
このようなＢＥＦ１８を採用することにより、ディスプレイ設計者が電力消費を低減しながら所望の軸上輝度を達成することができるようになった。ＢＥＦ１８に代表されるプリズムの反復的アレイ構造を有する輝度制御部材をディスプレイ装置に採用した技術は、特許文献１乃至３等において従来から知られている。
【先行技術文献】
【特許文献】
【００１０】
【特許文献１】特公平１−３７８０１号公報
【特許文献２】特開平６−１０２５０６号公報
【特許文献３】特表平１０−５０６５００号公報
【発明の概要】
【発明が解決しようとする課題】
【００１１】
ＢＥＦ１８に代表されるプリズムシートやレンチキュラーシートは、一般的に、所望の形状を付与するためのパターンが彫られたロール金型を用いて、ロール・トゥ・ロール方式で製作される。しかしながら、成形する際のロールギャップや圧力のバランス等により、面内でプリズムシートやレンチキュラーシートの厚みや屈折率が不均一になるという問題がある。プリズムシートやレンチキュラーシートの厚みや屈折率が不均一になると、ムラとして視認されたり複数のシートと重ねた際に干渉縞が見えたり、シートを表示装置に用いたときにシワやタワミが発生するといった問題がある。
【００１２】
本発明は上述の課題を鑑みてなされたものであり、成形する際の面内の圧力バランスを整えて均一な厚みの光学シートを成形することができる凹凸形状成形用金型、それを用いて製作された光学シート、この光学シートを備えたバックライト・ユニット及びディスプレイ装置を提供することを目的とする。
【課題を解決するための手段】
【００１３】
本発明による凹凸形状成形用金型は、透光性の基材の一方の面に凹凸形状を成形するための凹凸形状成形用金型であって、凹凸形状成形用金型の表面には圧力調整凹部が形成されてなり、圧力調整凹部の幅より小さく且つ圧力調整凹部の深さよりも深さの浅い凹凸パターン部が一次元方向または二次元方向に形成されてなることを特徴とする。
本発明による凹凸形状成形用金型は、圧力調整凹部に押圧される光学シート材料によって成形時の圧力ムラを受けて吸収することで圧力バランスを調整して、成形される光学シート材料の厚さ及び屈折率が均一な光学シートを製作できるから、光学シートのムラ、タワミが視認されない。        
【００１４】
また、圧力調整凹部は、略半球形状であることが好ましい。
圧力調整凹部を略半球状とすることで成形時に成形される光学シートの面にかかる圧力バランスを周方向に均等に調整することができる。
また、成形用金型の表面積に対して圧力調整凹部の面積の占める割合が３％以上３５％以下の範囲で設定されてなることが好ましい。
圧力調整凹部内の面積割合が上記範囲内であれば、成形時の圧力ムラを圧力調整凹部内の光学シート材料で受けて吸収し、成形される光学シートの厚みムラを改善することができる。厚みムラが低減した光学シートをディスプレイ装置に用いたときには、表示画面に厚みムラから生じるムラや撓みが視認されない。
【００１５】
本発明による光学シートは、上述したいずれかに記載された凹凸形状成形用金型を用いて製作されたことを特徴とする。
これによって、得られた光学シートは厚さ及び屈折率が均一であり、ムラやタワミが視認されない。
【００１６】
本発明によるバックライト・ユニットは、光源と、光源から発せられた光を入射して拡散させることで光量ムラを低減させて拡散光を射出する拡散板と、上述した光学シートとを少なくとも備えることを特徴とする。
本発明によるバックライト・ユニットは、光源からの光が光学シートを透過する際、光学シートにムラ、タワミが視認されないから、光学シートを透過する光の輝度と集光特性を高めて良好な光学特性を発揮できる。
【００１７】
本発明によるディスプレイ装置は、画素単位での透過／遮光に応じて表示画像を規定する画像表示素子と、前記画像表示素子の背面に設けられた上述したディスプレイ用バックライト・ユニットとを備えることを特徴とする。
本発明によるディスプレイ装置は、光源からの光が光学シートを透過する際、光学シートにムラ、タワミが視認されないから、光学シートを通して画像表示素子を透過する光の輝度と集光特性を高めて良好な画像が得られる光学特性を発揮できる。
【発明の効果】
【００１８】
本発明による凹凸形状成形用金型、光学シート、バックライト・ユニット及び表示装置によれば、成形する凹凸パターン部よりも深さと幅の大きな圧力調整凹部によって、面内の圧力が調整されるため、厚さ及び屈折率が均一な光学シートを製作することが出来る。これにより、ムラ、タワミが視認されない光学シート、該光学シートを備えるバックライト・ユニット及びディスプレイ装置を得られる。
【図面の簡単な説明】
【００１９】
【図１】本発明の第一実施形態による凹凸形状成形した光学シートを含むバックライト・ユニットを具備する液晶ディスプレイ装置の概略断面図である。
【図２】本発明の第一実施形態による光学シートの断面図である。
【図３】本発明の第一実施形態による光学シートを製造するための凹凸形状成形用金型の斜視図である。
【図４】図３に示す凹凸形状成形用金型を平面化した状態の幅方向要部断面図である。
【図５】押し出しによるロール成形方法を示す説明図である。
【図６】第二の実施形態による光学シートの概略断面図である。
【図７】試験例１〜４による光学シートの面積率と試験特性評価を表した図である。
【図８】従来技術による液晶ディスプレイ装置の一例を示す概略断面図である。
【図９】従来技術による液晶ディスプレイ装置の他の例を示す概略断面図である。
【図１０】従来技術による光学シートを透過する光の特性を示す概略断面図である。
【図１１】従来技術によるＢＥＦの一例を示す斜視図である。
【図１２】図１１に示すＢＥＦを用いた液晶ディスプレイ装置を示す概略断面図である。
【発明を実施するための形態】
【００２０】
以下、本発明の第一実施形態による光学シートとこの光学シートを成形するための凹凸形状成形用金型、そして液晶ディスプレイ装置について図１乃至図４を用いて詳細に説明する。なお、図に示す各部位の縮尺または比率は実際とは一致しない。また、これに限定されるものでもない。
図１は第一実施形態による液晶ディスプレイ装置３０の概略構成を示す断面図である。
図１に示す液晶ディスプレイ装置３０は、バックライト・ユニット３２と画像表示素子としての液晶パネル（液晶表示素子）３３とを備えている。
バックライト・ユニット３２において、例えば所定間隔で配列された冷陰極管（ＣＣＦＴ）からなる複数の光源３４と、光源３４の背面側に配設されていて背面側への出射光を反射させる反射板３５とでランプハウス３６を構成している。光源３４は冷陰極管に限定されることなく、ＥＬ、ＬＥＤ，半導体レーザー等を採用できる。
【００２１】
更に、光源３４の光照射方向前方側には光源３４から出射する光を拡散する光拡散層としての光拡散板３７が配設されている。液晶パネル３３は偏光板３８、３９間に液晶素子４０が挟持されて構成されている。光拡散板３７と液晶パネル３３との間には、光拡散板３7を透過する光を集光及び拡散する凹凸形状に成形した光学シート４２が配設されている。
なお、本実施形態によるディスプレイ装置は液晶ディスプレイ装置３０を示すが、これに限らず、投射スクリーン装置、プラズマディスプレイ装置、ＥＬディスプレイ装置など、画像を光により表示する表示装置であればディスプレイ装置の種類は問わない。
【００２２】
光学シート４２は、図２に示すように、シート状の基材４４の一方の面に一方向に延びる断面略三角形状のプリズムレンズ４５が同一方向に複数並列に配列されて形成されている。そして、プリズムレンズ４５群に重ねて略半球形状の凸レンズ４６が光学シート４２の幅方向及びこれに直交する長手方向に所定間隔で分散して形成され、凸レンズ４６のパターンを形成している（図３参照）。凸レンズ４６は基材４４の一方の面からの高さがプリズムレンズ４５の高さより大きく、平面視における直径寸法（幅）もプリズムレンズ４５の底面の幅より大きく設定されている。
【００２３】
後述する凹凸形状成形用金型４８から転写して製作される光学シート４２は、その平面視において、光学シート４２の面積に対する複数の凸レンズ４６の総面積の比率である面積率を３％以上３５％以下に設定した。
光学シート４２を後述の凹凸形状成形金型４８を用いて押出し成形で製作した場合、押し出し時の圧力ムラをプリズムレンズ４５群より高さと幅が大きい凸レンズ４６が受けて吸収することで、光学シート４２の厚みムラを改善することが出来る。厚みムラが低減した光学シート４２を液晶テレビ等の液晶ディスプレイ装置３０に用いたときには、表示画面に厚みムラから生じるムラや撓みが視認されない。
一方で、凸レンズ４６の面積率が３％未満であると押し出し成形時に生じる圧力ムラや撓みを十分吸収できず、３５％を超えた場合には圧力ムラや撓みは生じないが相対的にプリズムレンズ４５の面積率が減少して集光効率や輝度の向上を十分達成できないという不具合が発生する。
光学シート４２の主となる材質としては、例えばポリカーボネートもしくはアクリル−スチレン共重合体もしくはポリスチレンもしくはスチレン・ブタジエン・アクリロニトリル共重合体もしくはシクロオレフィンポリマー等を樹脂シートとして使用しても良い。
【００２４】
次に、光学シート４２を製作するための本発明の実施形態による凹凸形状形成用金型４８について図３及び図４により説明する。
光学シート４２を製作する場合、製造コストを考慮すると押し出し方式で製造することが好ましい。押し出し方式で用いる凹凸形状成形用金型４８は、図３に示すように、円筒形状または円柱形状をなす金属シリンダー４９の外表面上に、プリズムレンズ４５を形成するための凹凸パターン部としてプリズムレンズ用凹部５０と凸レンズ４６を形成するための圧力調整凹部５１とが彫られてなる構成である。
プリズムレンズ用凹部５０は断面略三角形で一方向に延びて構成され、プリズムレンズ用凹部５０は同一方向に複数配列されて形成されている。圧力調整凹部５１は例えば略半球状の凹部としてプリズムレンズ用凹部５０に重ねて所定間隔で分散して形成されている。圧力調整凹部５１はプリズムレンズ用凹部５０よりも深く幅も大きい。
【００２５】
凹凸形状形成用金型４８は、上述した転写して形成される光学シート４２の面積に対する複数の凸レンズ４６の面積率が３％以上３５％以下とされているものと同様に、凹凸形状形成用金型４８の面積に対する圧力調整凹部５１の総面積の比率（面積率）が３％以上３５％以下とされている。この数値範囲であれば、押し出し成形時の圧力ムラをプリズムレンズ４５群より高さと幅が大きい圧力調整凹部５１で転写される凸レンズ４６が受けて吸収することで、光学シート４２の厚みムラを改善することが出来る。これを液晶ディスプレイ装置３０に用いたときには、表示画面に厚みムラから生じる屈折率の不均一によるムラや撓みが視認されない。一方で、圧力調整凹部５１の面積率が３％未満であると押し出し成形時に生じる圧力ムラや撓みを十分吸収できず、３５％を超えた場合には圧力ムラや撓みは生じないが相対的に凹凸パターン部５０の面積率が減少して、転写されるプリズムレンズ４５の集光効率や輝度の向上を十分達成できないという不具合が発生する。
【００２６】
凹凸形状成形用金型４８を製作する場合、プリズムレンズ用凹部５０と圧力調整凹部５１とからなる異なる２種の凹部パターンは例えばエッチングや切削等によって形成されるが、その製作方法はこれらの方法に限定されることはない。また、圧力調整凹部５１の配置パターンには特に制限はないが、プリズムレンズ用凹部５０のパターンとのモアレやディスプレイの画素とのモアレを考慮すると、六方格子状に配列させることが好ましい。
図３に示す凹凸形状成形用金型４８において、六方格子状とはハニカム構造の各角部と中央部に相当する位置に圧力調整凹部５１が配設された構成をいう。
凹凸形状成形用金型４８の製作に際し、断面略半球形状の圧力調整凹部５１と直線状のプリズムレンズ用凹部５０との製作の順番に特に制限はないが、ウエットエッチングなどの工程を用いる場合には、圧力調整凹部５１を先に製作する方が安定した形状を得ることが出来るため望ましい。
【００２７】
図４はシリンダー状の凹凸形状成形用金型４８を平面化して見た場合の幅方向概略断面図である。圧力調整凹部５１の形状は圧力バランスの均一化と光学性能を考慮して半球状または略半球状が望ましい。また、圧力バランスの均一化のためには、圧力調整凹部５１の深さｄ１はプリズムレンズ用凹部５０の深さｄ２よりも大きい必要がある。圧力調整凹部５１の深さｄ１がプリズムレンズ用凹部５０の深さｄ２と同等以下の場合には圧力バランスの均一化効果が得られない。また、同様の理由で、圧力調整凹部５１の幅ｗ１はプリズムレンズ用凹部５０の幅ｗ２より大きく設定されている。なお、深さｄ１≧深さｄ２×３、幅ｗ１≧幅ｗ２×２であることが望ましいが、これに限定されるものではない。
【００２８】
このような凹凸形状成形用金型４８を用いて、光学シート４２を押し出し成形する。押し出しによるロール成形方法の一例を説明すれば、例えば図５に示すように、上型ロールとして凹凸形状成形用金型４８を設け、対向する位置に下型ロール５２を配設する。
そして、凹凸形状成形用金型４８と加熱した下型ロール５２との間に樹脂シートからなる光学シート材料４２ａをはさみ、凹凸形状成形用金型４８と下型ロール５２とを加圧しながら回転させる。これによって、凹凸形状成形用金型４８と下型ロール５２との間に加圧された光学シート材料４２ａが挟み込まれ、光学シート４２の凹凸形状成形用金型４８側の基材４４の表面にプリズムレンズ４５と凸レンズ４６が転写されて、押し出されていく。このようにして光学シート４２が形成される。
なお、凹凸形状成形用金型４８の製作方法はロール成形法に限定されず、ロールツウロール方法等でもよい。
【００２９】
上述のように本実施形態による凹凸形状成形用金型４８によれば、プリズムレンズ用凹部５０よりも大きな圧力調整凹部５１によって、押し出し成形時の面内の圧力が吸収されて調整されるため、厚さ及び屈折率が均一な光学シート４２を製作することが出来る。これにより、ムラ、タワミが視認されない光学シート４２、そして、この光学シート４２を備えるバックライト・ユニット３２及び液晶ディスプレイ装置３０を得ることができる。
【００３０】
次に、上述した実施形態による凹凸形状成形用金型４８及び光学シート４２の第二実施形態を図６により説明するが、上述の第一実施形態と同一または同様な部材、部分には同一の符号を用いて説明を省略する。
図６に示す光学シート５３は、基材４４の一方の面に上述した実施形態と同様に略半球状の凸レンズ４６とプリズムレンズ４５を形成している。また、基材４４の他方の面には凸部５４が幅方向及びこれに直交する長手方向に所定間隔で分散して突出形成されている。これら凸部５４を付与することで、光学シート５３の更なる厚みムラの低減が可能となる。凸部５４の形状は例えば円錐台形状とされているが、対向する一方の面の凸レンズ５４及びプリズムレンズ４５のパターンとのモアレの抑制を考慮するとドット状とすることが好ましい。
なお、凸部５４の断面形状に関しては図６に示す円錐台形状に限定されるものではなく、適宜の断面形状を採用できる。また、凹部５４は例えば図５に示すロール成形法では下型ロール５２に形成すればよく、凹凸形状成形用金型４８と挟持して加圧しつつ押し出せば光学シート５３を製作できる。
【実施例】
【００３１】
以下、本発明の上述した第一実施形態による光学シート４２の実施例について具体的に説明するが、本発明はこれらの実施例に限定されるものではない。
＜凹凸形状成形用金型４８の製作）
表面を銅メッキ処理した金属シリンダー４９の表面を切削により平滑化し、その表面上にブラックラッカーを膜厚５μm程度になるよう均一に塗布する。そのブラックラッカー上に円形状にレーザーアブレーション後、クロム酸、塩化第二鉄にてウエットエッチングを行なう。その後、余分なブラックラッカーをアセトンにて除去することで、金属シリンダー４９の表面上に圧力調整凹部５１を形成する。そして、ダイヤモンドバイトによって金属シリンダー４９の表面を切削してプリズムレンズ用凹部５０のパターンを形成し、図３に示すような凹凸形状成形用金型４８を得た。
凹凸形状成形用金型４８の面積に対する圧力調整凹部５１の面積率の変更はレーザーアブレーションの際のレーザー照射間隔を広げることで調節した。エッチング処理後の圧力調整凹部５１を断面半球状で幅１００μm、最大深さ５０μmに加工形成し、圧力調整凹部５１の配設パターンは六方格子状に分散して製作した。プリズムレンズ用凹部５０は幅３０μｍ、深さ１５μmの断面三角形のプリズムで製作した。
【００３２】
＜光学シート４２の製作＞
光学シート４２の材料としてポリカーボネートを用い、図３に示す凹凸形状成形用金型４８によって押出し方式で押し出し成形することにより、プリズムレンズ４５が同一方向に配列されていてその上に半球状の凸レンズ４６を分散配設してなる図２に示す光学シート４２を製作した。この光学シート４２は最大厚５００μｍの光学シートである。
【００３３】
＜試験例１〜４の製作＞
次に試験例１〜４として凹凸形状成形用金型４８及びこれを用いた光学シート４２を製作した。試験例１、２は実施例であり、試験例３、４は比較例である。
試験例１として、光学シート４２における凸レンズ４６の面積率が３％となるよう圧力調整凹部５１の数を調整した凹凸形状成形用金型４８を製作し、この凹凸形状成形用金型４８を用いて光学シート４２を総厚５００μｍで押出し成形した。また、凸レンズ４６の面積率が３５％、４０％、０％となるよう圧力調整凹部５１の数を調整した凹凸形状成形用金型４８をそれぞれ製作して、これらの凹凸形状成形用金型４８を用いて、押し出し方式によってそれぞれ光学シート４２を製作した。凸レンズ４６の面積率３５％のものを試験例２、面積率４０％のものを試験例３、面積率０％のものを試験例４とした。
試験例４における凸レンズ４６の面積率０％とした光学シート４２を形成するための凹凸形状成形用金型４８は、圧力調整凹部５１を形成せずにプリズムレンズ用凹部５０のパターンのみを付与して製作した。試験例４による光学シート４２はベースとなるプリズムレンズ４５のみで形成されている。
試験例１〜４の各光学シート４２はそれぞれ幅６５０ｍｍ、長さ１２００ｍｍの寸法形状とした。
【００３４】
＜ムラ、タワミ評価＞
試験例１〜４の凹凸形状成形用金型４８を用いて製作した光学シート４２について、厚みムラ測定とムラ、タワミ評価と光学特性評価を実施した。試験に際して、各試験例１〜４の光学シート４２を、図１に示す液晶ディスプレイ装置３０として液晶ＴＶにそれぞれ設置し、液晶ディスプレイ装置３０を点灯して２時間経過時にムラ、タワミが発生したかどうかを目視評価した。試験例１〜４の各試験結果は図７に示すとおりである。
厚みムラ測定は、試験例１〜４における各光学シート４２の押出し方向に直交する幅方向（６５０ｍｍ幅）を５分割し、押出し流れ方向（１２００ｍｍ長さ）を５分割して厚み測定を実施した。厚みムラは光学シート４２全体の総厚の平均値からの最大バラツキで算出した。
【００３５】
ムラ、タワミ評価は、液晶ディスプレイ装置３０を点灯して、点灯直後に対して２時間経過時に各光学シート４２にムラ、タワミが発生したかどうかを目視評価することで行った。また、光学特性に関しては、液晶ディスプレイ装置３０を点灯して２時間経過後に、点灯直後に対して正面輝度の低減率が１０％未満の場合を良好（○）として判断した。
試験例４において、圧力調整凹部５１の面積率０％の凹凸形状成形用金型４８から得られた光学シート４２は、厚みムラは±５％程度であり、６０℃付近の高温に達する液晶ディスプレイ装置３０の点灯試験では、光学シート４２にタワミが発生してしまい、映像にムラが生じてしまった。
試験例１〜３において、凸レンズ４６の面積率３％以上では厚みムラは±２％以下となった。液晶ディスプレイ装置３０の点灯試験においても、試験例１〜３では光学シート４２にタワミが発生しなかった。しかしながら、試験例３では、凸レンズ４６の面積率４０％と大きすぎてしまい、相対的にプリズムレンズ４５の面積率が低下したため、試験例４による面積率０％の光学シート４２の正面輝度よりも、１０％以上正面輝度が低減してしまい光学特性が大きく損なわれたため不良（×）評価とした。
【００３６】
なお、上述の実施形態において、光学シート４２についてプリズムレンズ４５を一方向に延在させて並列に配列させて構成したが、互いに直交する方向や交差する方向等、二次元方向に配列して構成してもよい。
【符号の説明】
【００３７】
３０  液晶ディスプレイ装置
３２  バックライト・ユニット
３３  液晶パネル
３４  光源
３７  光拡散板
４２  光学シート
４４  基材
４５  プリズムレンズ
４６  凸レンズ
４８  凹凸形状成形用金型
４９  金型シリンダー
５０  プリズムレンズ用凹部（凹凸パターン部）
５１  圧力調整凹部
【図１】
2010208156.tif 000003
【図２】
2010208156.tif 000004
【図３】
2010208156.tif 000005
【図４】
2010208156.tif 000006
【図５】
2010208156.tif 000007
【図６】
2010208156.tif 000008
【図７】
2010208156.tif 000009
【図８】
2010208156.tif 000010
【図９】
2010208156.tif 000011
【図１０】
2010208156.tif 000012
【図１１】
2010208156.tif 000013
【図１２】
2010208156.tif 000014